(57)【特許請求の範囲】
【請求項１】
電池切れ・電池交換時にトイレ装置本体への報知手段を有するリモコンと、前記トイレ装置本体の停電時にリモコンへの報知手段を有する本体制御部を備え、前記リモコンの電池交換時あるいは前記トイレ装置本体の停電復帰時に、前記トイレ装置とリモコンの間での双方向通信によりデータ整合する事を特徴とする自動データ整合機能を有するトイレ装置。
【請求項２】
前記リモコンは低電圧検出手段を有し、前記低電圧検出手段による検出電圧が設定された電池低電圧検出閾値を規定時間下回った時に前記トイレ装置本体へ電池交換情報を送信し、電池交換後に前記電池交換情報を受信した前記トイレ装置本体から特定の情報を送信する事でデータ整合される事を特徴とする請求項１記載のトイレ装置。
【請求項３】
前記トイレ装置本体は停電検出手段を有し、前記停電検出手段が停電を検出した時に前記リモコンへ停電情報を送信し、停電復帰後に前記停電情報を受信した前記リモコンから特定の情報を送信してデータ整合される事を特徴とする請求項１記載のトイレ装置。
【発明の詳細な説明】
【０００１】
【発明の属する技術分野】
本発明は、特にタイマ設定状態によりヒータなどの負荷を停止または駆動させ、さらに自動データ整合機能を有するトイレ装置に関する。
【０００２】
【従来の技術】
近年、人体局部の洗浄を行うトイレ装置においては、局部洗浄水の温度制御を行う温水制御機能、便座温度の制御を行う便座温度制御機能、局部乾燥用の乾燥温度制御機能、室内暖房用の室温制御機能といったヒータ機能をもったものが一般的となっている。
【０００３】
また、それらのヒータ制御においては、利用者が設定した時刻に自動的にＯＮ／ＯＦＦするタイマ機能を有するものも有り、節電効果や快適性の向上へ大きな役割を果たしている。ここで、タイマ機能の具体例について最も一般的な例を挙げる。
まず、利用者がタイマ機能を有する機能を働かせようとリモコンを操作すると、操作された時点から所定時間経過するまではヒータがＯＮし、所定時間経過後は自動的にヒータがＯＦＦされる。そして、操作された時点から２４時間経過した時点で、自動的にヒータがＯＮされる。これ以後、利用者がリモコンを操作するまで、２４時間周期で上記ヒータのＯＮ／ＯＦＦを繰り返す、すなわちタイマ運転といったものがある。この実現方法としては、以下に挙げる方式が主流である。
【０００４】
利用者の操作が行われた時に、リモコンから本体制御部へタイマの設定時間すなわちヒータのＯＮ時間と２４時間の基点を示す情報を伝達する。本体制御部ではこの情報を受信すると直ちにヒータをＯＮするとともに自己の持つタイマにタイマ設定時間を設定する。そして設定されたタイマ時間が経過するとヒータをＯＦＦする。リモコンは、利用者の操作時点を基点として２４時間毎にタイマの設定時間と２４時間の基点情報を送信するため、本体制御部では２４時間周期でヒータのＯＮ／ＯＦＦ制御が可能となる。ここで、２４時間の基点を毎回リモコンから送信する理由は以下のとおりである。
リモコンの電源が本体制御部と異なる場合、例えばリモコンが電池電源で本体制御部が商用電源である場合であるが、停電が生じると本体制御部のタイマ情報が消失してしまい、停電復帰したとしても本体制御部はヒータ運転を再開できないが、電池電源であるリモコンからの正常な２４時間基点情報を再度受信すれば、時間のズレを生じずに運転を再開できるからである。
【０００５】
また、リモコンの電池交換などによる電源リセットにおいては、２４時間の基点情報等は送信されなくなるが、リモコン表示に関しても初期状態すなわちタイマ運転機能ＯＦＦに戻る、電池交換完了後、利用者がタイマ運転機能が初期状態になったことを確認でき、その際にタイマ運転を開始させることができる。
【０００６】
次に、図に基づき、従来の技術についてさらなる説明を行なう。
図６は、従来のトイレ装置における、タイマー節電のデータ整合手段を示すタイムチャート図である。利用者がリモコン上でタイマー節電設定を行うと、リモコンから本体制御部へリモコンタイマー節電信号３６を送信する。本体側は、本体受信確認３７によりタイマー節電である事を判断すると、タイマー節電開始４０となり設定された時間タイマー節電を開始する。タイマー節電は、利用者の操作時点を基点として再設定信号送信間隔２４時間（符号３９）毎にリモコンタイマー節電再設定信号３８を送信するため、本体では２４時間周期でヒータのＯＮ／ＯＦＦ制御が可能となる。停電が生じると本体制御部のタイマー情報が消失してしまい、タイマー節電停止４１となる。停電復帰したとしても本体はタイマー節電を再開できないが、上述した理由により、電池電源であるリモコンからの正常な２４時間基点情報を再度受信すれば、時間のズレを生じずに運転を再開できる。
【０００７】
【発明が解決しようとする課題】
従来のトイレ装置では、リモコンは電池交換、トイレ装置本体は瞬時停電というデータを消失してしまう危険がある。そのデータを消失したまま利用者が気づかずトイレ装置を使用した場合、例えばタイマー節電を行っていたのに停電が起こり、本体のタイマーデータが消失し節電しない事象などが発生する。また、利用者がデータ消失に気づいた場合でも、その度に時計やタイマー設定等の再設定が必要であった。
【０００８】
本発明は、上記課題を解決するためになされたもので、本発明の目的は、データ消失を促す、リモコン・トイレ装置本体に電池交換あるいは停電が発生する要因の検出手段を設けるとともに、利用者の手を煩わせることなく、双方向の通信により自動で再設定を行えるようにする装置を提供することにある。
【０００９】
【課題を解決するための手段】
上記目的を達成するために請求項１は、電池切れ・電池交換時に前記トイレ装置本体への報知手段を有するリモコンと、前記トイレ装置本体停電時にリモコンへの報知手段を有する本体制御部を備え、前記リモコンの電池交換時あるいは前記トイレ装置本体の停電復帰時に、トイレ装置とリモコンの間で双方向通信によりデータ整合する。これにより、リモコンの電池交換時は本体制御部に記憶されている時計データやタイマー運転データを、停電時はリモコンの時計データやタイマ運転データを元に、停電前の運転状態を自動再開できる。
【００１０】
ここで、双方向通信により送受信するデータは時計データとすれば、リモコンの電池交換時は本体制御部に記憶されている時計データを、停電時はリモコンの時計データを元に、停電前の運転状態を自動再開できる。
【００１１】
また、双方向通信により送受信するデータはタイマー動作データとすれば、リモコンの電池交換時は本体制御部に記憶されているタイマー運転データを、停電時はリモコンのタイマー運転データを元に、停電前の運転状態を自動再開できる。
【００１２】
さらに、双方向通信により送受信するデータは設定入り／切りデータとすれば、リモコンの電池交換時は本体制御部に記憶されている設定入り／切りデータを、停電時はリモコンの設定入り／切りデータを元に、停電前の運転状態を自動再開できる。
【００１３】
さらに、また、双方向通信により送受信するデータは健康測定データとすれば、リモコンの電池交換時は本体制御部に記憶されている健康測定データを、停電時はリモコンの健康測定データを元に、停電前の運転状態を自動再開できる。
【００１４】
請求項２は、請求項１記載のトイレ装置において、前記リモコンは低電圧検出手段を有し、前記低電圧検出手段による検出電圧が設定された電池低電圧検出閾値を規定時間下回った時に前記トイレ装置本体へ電池交換情報を送信する事で、電池交換後に前記電池交換情報を受信した前記トイレ装置本体から特定の情報を送信する事でデータ整合される。これにより、リモコンは電池交換時に本体へ電池交換されると言う事を知らしめる事が出来ると共に、本体はリモコンからの電池交換後のリセットされたデータ情報に対し、データ情報を修正する事が出来る。
【００１５】
請求項３は、請求項１記載のトイレ装置において前記トイレ装置本体は停電検出手段を有し、前記停電検出手段が停電を検出した時に前記リモコンへ停電情報を送信し、停電復帰後に前記停電情報を受信した前記リモコンから特定の情報を送信する事でデータ整合される。これにより、本体は停電時にリモコンへ停電すると言う事を知らしめる事が出来ると共に、リモコンは本体からの停電後のリセットされたデータ情報に対し、データ情報を修正する事が出来る。
【００１６】
【発明の実施の形態】
以下添付図に示す実施例に基づいて本発明を具体的に説明する。
図１に本発明に係わるトイレ装置の要部ブロック構成図を示す。１はトイレ装置の本体制御部、２は本体とは電源を異にするリモコンである。利用者がリモコン上の操作部４を操作すると、操作状態に応じた表示を表示部５に行い、同時に本体へリモコン送信信号２０を送信する。本体制御部１における受信手段１１によりリモコン２からのリモコン送信信号２０を受信すると、負荷運転判断手段１５により、洗浄手段１８や健康測定手段１９、設定入り／切り手段１６などの制御を行う。１３は時計手段であり、タイマ機能を有する機能の開始時には、負荷運転判断手段１５より適切なタイマ値が設定されるとともに、設定入り／切り手段１６の情報を元にヒータ等を駆動させる。そして、設定されたタイマ満了時には、負荷運転判断手段１５はヒータ制御を停止させる。１４は記憶装置であり、例えばＥＥＰＲＯＭのような不揮発性メモリで、負荷開始時刻の記憶やタイマ運転状態が記憶される。
【００１７】
また、双方向での通信となっているので、本体が停電によりタイマ情報あるいは機能の設定情報を失ったとしても、停電検知手段１７により停電検出した際にリモコン２へ本体制御部１における送信手段１２により停電情報を本体送信信号２１によって、リモコン２における受信手段９へ送信する。停電復帰後、リモコン２より失った情報を受信することで、利用者が再設定しなくとも機能の自動復帰が可能である。さらに、電池７を電源とするリモコン２には、利用者がリモコン２を操作した場合以外にも、低電圧検出手段６にて電池切れを判断すると、リモコン上の送信手段８より本体制御部１の受信手段１１に向けてリモコン送信信号２０により電池交換情報を送信する。電池交換後に設定状態を本体制御部１より受信する機能が備えられており、本体同様利用者が再設定しなくとも機能の自動復帰が可能である。
【００１８】
図２は、リモコン電池交換時の通信手順を示すタイムチャートである。リモコンは低電圧検知手段を有し、低電圧検出閾値２２以下の電池電圧を検知し、かつ低電圧検知規定時間以上前記閾値を下回った場合に低電圧検出２５と判断する。低電圧検出が確定後、電池交換情報送信信号２６を本体へ送信する事で、電池交換によりデータを失う事を本体へ知らせる。本体は、電池交換情報を受信し記憶しておく。リモコンの電池交換期間２９に本体からの送信に対しリモコンからの応答がなくなると、リモコン通信不能フラグ２４をセットし、次回通信復帰時のリモコンからの電池交換後初期情報送信信号２７を受信すると、その情報を機能には反映させず、本体の現在持っているデータを本体修正データ送信信号２８によりリモコンへ送信する事でリモコンの失ったデータを復帰させることが出来る。
【００１９】
図３は、トイレ装置本体停電時の通信手順を示すタイムチャートである。本体は停電検知手段を有し、停電検出と判断すると、停電情報送信信号３１をリモコンへ送信する事で、データを失う事をリモコンへ知らせる。リモコンは、停電情報を受信し記憶しておく。本体の停電期間３２中にリモコンからの送信に対し本体からの応答がなくなると、本体通信不能フラグ３５をセットし、次回通信復帰時の本体からの本体停電復帰後情報送信信号３３を受信すると、その情報を機能には反映させず、リモコンの現在持っているデータを本体修正データ送信信号２８によりリモコンへ送信する事でリモコンの失ったデータを復帰させることが出来る。
【００２０】
ここで、リモコンと本体のどちらかのデータが無くなり、その後データの整合を行った際にＬＥＤやブザーにより利用者に知らせる事も可能となる。
【００２１】
図４は、トイレ装置本体・リモコンともに電源ＯＦＦから、リモコンが先に復帰した時の通信手順を示すタイムチャートである。
本体とリモコンがともに電源ＯＦＦだった場合、つまり本体はリモコンからの電池交換情報送信信号を、リモコンは本体からの停電情報送信信号をそれぞれ受信していない場合を指す。この時、リモコンが先に電源復帰したとすると、電池交換後初期情報送信信号２７を本体へ送信するが、応答がないため本体通信不能フラグ３５をセットする。リモコンは本体停電情報を受けていない、かつ通信不能フラグがセットされている事で本体の電源ＯＦＦと判断することが出来る。その後本体が電源復帰し本体停電復帰後情報送信信号３３をリモコンへ向け送信するが、リモコンはその情報を機能には反映しない。また、お互いのタイマー運転情報や動作に関する情報はいつから電源がＯＦＦしたのかが分からない為信用せず、運転に関する情報は初期値を後は時計データを本体へ送信する事でデータの整合を行う。この本体とリモコンが両方電源ＯＦＦになった場合は、利用者に再設定を行ってもらう必要があるが、ＬＥＤやブザー、リモコンの表示により再設定の必要性を知らせる事が出来る。
【００２２】
図５は、トイレ装置本体・リモコンともに電源ＯＦＦから、トイレ装置本体が先に復帰した時の通信手順を示すタイムチャートである。
図４と同様に本体とリモコンがともに電源ＯＦＦだった場合、つまり本体はリモコンからの電池交換情報送信信号を、リモコンは本体からの停電情報送信信号をそれぞれ受信していない場合を指す。この時、本体が先に電源復帰したとすると、本体停電復帰後情報送信信号３３をリモコンへ送信するが、応答がないためリモコン通信不能フラグ２４をセットする。本体はリモコン電池交換情報を受けていない、かつ通信不能フラグがセットされている事でリモコンの電源ＯＦＦと判断することが出来る。その後リモコンが電源復帰し電池交換後情報送信信号２７を本体へ向け送信するが、本体はその情報を機能には反映しない。また、お互いのタイマー運転情報や動作に関する情報はいつから電源がＯＦＦしたのかが分からない為信用せず、運転に関する情報は初期値をリモコンへ送信する事でデータの整合を行う。
【００２３】
上記に記してきた、トイレ装置とリモコンの整合させるデータとして、時計データ、タイマー動作データ、設定入り／切りデータ、健康測定データが挙げられる。時計データを整合させることで、例えばカレンダー機能を持っているリモコンの日付や時間の表示と本体の時間がずれることが無くなる。また、タイマー動作データを整合させることで、例えば節電に入る時間になったときリモコンの表示と本体の動作がずれることが無くなる。また、設定入り／切りデータを整合させることで、節電や脱臭等の機能の設定状態がリモコンの表示と本体の動作において異なることが無くなる。また、健康測定データを整合させることで、例えば個人の健康測定情報を登録していた場合、リモコンと本体にてデータを記憶しておけば、停電等が起きてもデータを消失することが無くなる。
【００２４】
これらのことより、データ消失する停電等が発生した場合でも、色々なデータを整合させる事で、利用者が停電等を気にする事無く正確な情報を元に動作させる事が出来る。
【００２５】
【発明の効果】
本発明は上記構成により次の効果を発揮する。動作中にリモコンの電池交換あるいはトイレ装置本体に停電が生じ、時間等データが消失しても、お互いが相手の状態を双方向通信にて管理しているので、通信復帰後データ消失前の運転サイクルと同期させ運転を自動再開することができる。これにより、利用者の再設定の手間を省くことができる。
【図面の簡単な説明】
【図１】  本発明のトイレ装置を示す構成図である。
【図２】  リモコン電池交換時の通信手順を示すタイムチャート図である。
【図３】  トイレ装置本体停電時の通信手順を示すタイムチャート図である。
【図４】  トイレ装置本体・リモコンともに電源ＯＦＦから、リモコンが先に復帰した時の通信手順を示すタイムチャート図である。
【図５】  トイレ装置本体・リモコンともに電源ＯＦＦから、トイレ装置本体が先に復帰した時の通信手順を示すタイムチャート図である。
【図６】  従来のトイレ装置における、タイマー節電のデータ整合手段を示すタイムチャート図である。
【符号の説明】
１…本体制御部、２…遠隔操作表示手段、３…リモコン上の時計手段、４…リモコン上の操作部、５…リモコン上の表示部、６…低電圧検出手段、７…リモコン上の電池、８…リモコン上の送信手段、９…リモコン上の受信手段、１１…本体受信手段、１２…本体送信手段、１３…時計手段、１４…記憶手段、１５…負荷判断手段、１６…設定入り／切り手段、１７…停電検知手段、１８…洗浄手段、１９…健康測定手段、２０…リモコン送信信号、２１…本体送信信号、２２…低電圧検出閾値、２３…低電圧検知規定時間、２４…リモコン通信不能フラグ、２５…電池低電圧検出、２６…電池交換情報送信信号、２７…電池交換後初期情報送信信号、２８…本体修正データ送信信号、２９…電池交換期間、３０…本体停電検出、３１…停電情報送信信号、３２…停電期間、３３…本体停電復帰後情報送信信号、３４…リモコン修正データ送信信号、３５…本体通信不能フラグ、３６…リモコンタイマー節電信号、３７…本体受信確認、３８…リモコンタイマー節電再設定信号、３９…再設定信号送信間隔２４時間、４０…タイマー節電開始、４１…タイマー節電停止、４２…停電等本体電源ＯＦＦ
【図１】
0003847194.tif 000002
【図２】
0003847194.tif 000003
【図３】
0003847194.tif 000004
【図４】
0003847194.tif 000005
【図５】
0003847194.tif 000006
【図６】
0003847194.tif 000007